(57)【要約】【課題】ユーザが、特に表示装置の監視を強いらることなく、自身の移動目的地に達したことを確実に認識するように、ユーザを輸送する方法を開発する。【解決手段】輸送手段、特にエレベータによってユーザを輸送する方法において、制御装置、第１の通信装置、そしてユーザによって携行される可搬式の第２の通信装置が提供される。その場合に、第２の通信装置によって目的地コールが制御装置に入れられる。制御装置は、目的地コールに応じる少なくとも一つの輸送手段を決定する。輸送手段は、第２の通信装置によってユーザに報知される。さらに制御装置は目的地信号を生成し、これを第１の通信装置へ伝達する。輸送手段は、目的地コールに一致する目的地へユーザを輸送する。目的地信号は第１の通信装置によって第２の通信装置へ送信され、第２の通信装置によってユーザに報知される。【選択図】図１
2007031153.tif 000002
【特許請求の範囲】
【請求項１】
輸送手段（２０、３０）、特にエレベータ（２０）によってユーザを輸送する方法であって、ここで制御装置（４０）、第１の通信装置（５０）、そしてユーザによって携行される可搬式の第２の通信装置（６０）が提供され、同方法は以下のステップすなわち、
ａ）第２の通信装置（６０）により制御装置（４０）に目的地コールを入れることと、
ｂ）目的地コールに応じる少なくとも一つの輸送手段（２０、３０）を制御装置（４０）によって決定することと、
ｃ）第２の通信装置（６０）によりユーザに輸送手段（２０、３０）を報知することと、
ｄ）制御装置（４０）によって目的地信号を生成し、目的地信号を第１の通信装置（５０）へ伝達することと、
ｅ）輸送手段（２０、３０）によって目的地コールに一致する目的地へユーザを輸送することと、
ｆ）第１の通信装置（５０）から第２の通信装置（６０）へ目的地信号を送信することと、
ｇ）第２の通信装置（６０）によってユーザに目的地信号を報知すること、
を含む、方法。
【請求項２】
ステップｂ）で、輸送手段（２０、３０）の決定に先駆けユーザのアクセス権限がチェックされ、アクセス権限のチェックに成功する場合に限り輸送手段（２０、３０）が決定されることを特徴とする、請求項１に記載の方法。
【請求項３】
ステップｃ）、ステップｅ）、またはステップｆ）で、アクセスコードが、特に閉ざされた部屋へ立ち入るためのアクセスコードが伝達されることを特徴とする、請求項１または２に記載の方法。
【請求項４】
第２の通信装置（６０）が第１の通信装置（５０）へアクセスコードを伝達することを特徴とする、請求項３に記載の方法。
【請求項５】
ステップｃ）で、輸送手段（２０、３０）へユーザを案内するためのデータが、第２の通信装置（６０）へ送信されることを特徴とする、請求項１から４のいずれか一項に記載の方法。
【請求項６】
ユーザの輸送中に、または遅くとも輸送手段（２０、３０）のさらなる移動の前に、目的地信号がステップｅ）で送信される、またはステップｇ）で報知されることを特徴とする、請求項１から５のいずれか一項に記載の方法。
【請求項７】
ユーザ案内のための、特に建物（１０）内での案内のためのデータが、ステップｆ）で第２の通信装置（６０）へ伝達されることを特徴とする、請求項１から６のいずれか一項に記載の方法。
【請求項８】
ステップｂ）で数台の輸送手段（２０、３０）が制御装置（４０）によって決定され、ユーザが第２の通信装置（６０）によって輸送手段（２０、３０）を選択し、選択された輸送手段（２０、３０）までユーザを案内するためのデータが、その後第２の通信装置（６０）へ伝達されることを特徴とする、請求項１から７のいずれか一項に記載の方法。
【請求項９】
ステップｃ）で報知された輸送手段がステップｅ）の前に変更され、この変更が、変更された輸送手段（２０、３０）へユーザを案内するためのデータとともに、制御装置（４０）によって第２の通信装置（６０）へ伝達されることを特徴とする、請求項１から８のいずれか一項に記載の方法。
【請求項１０】
第２の通信装置（６０）の視覚的、音響的、または振動する信号装置によって、ステップｇ）でユーザに目的地信号が報知されることを特徴とする、請求項１から９のいずれか一項に記載の方法。
【請求項１１】
第２の通信装置（６０）が携帯電話またはＰＤＡ（パーソナルデジタルアシスタント）であることを特徴とする、請求項１から１０のいずれか一項に記載の方法。
【請求項１２】
輸送手段（２０、３０）が少なくとも一つのエレベータケージ（３０）を備えるエレベータ（２０）であり、エレベータケージ（３０）に第１の通信装置（５０）が設けられることを特徴とする、請求項１から１１のいずれか一項に記載の方法。
【請求項１３】
ステップａ）で、第２の通信装置によって制御装置（４０）に目的地コールを入れるため、目的地コール端末（７０）と第２の通信装置（６０）との間の近接場無線接続が使用されることを特徴とする、請求項１から１２のいずれか一項に記載の方法。
【請求項１４】
ステップａ）で、第１の通信装置（５０）と第２の通信装置（６０）との間で通信接続を確立するため必要とされる第２の通信装置（６０）の通信パラメータが、目的地コールとともに制御装置（４０）へ送達されることを特徴とする、請求項１から１３のいずれか一項に記載の方法。
【請求項１５】
短距離無線接続によって、第１の通信装置（５０）から第２の通信装置（６０）へ目的地信号が送信されることを特徴とする、請求項１から１４のいずれか一項に記載の方法。
【請求項１６】
制御装置（４０）のデータ、例えば目的地信号が、地域移動無線事業者のデータサービスの助けを借りて、第１の通信装置（５０）から第２の通信装置（６０）へ送信されることを特徴とする、請求項１から１５のいずれか一項に記載の方法。
【発明の詳細な説明】
【技術分野】
【０００１】
本発明は、輸送手段、特にエレベータによりユーザを輸送する方法に関する。本方法の遂行のため制御装置、第１の通信装置、そしてユーザによって携行される可搬式の第２の通信装置が提供される。本方法におていはまず、制御装置にユーザによって目的地コールが入れられ、これを受けて同制御装置は目的地コールに応じる輸送手段を決定する。ユーザに輸送手段を知らせた後、ユーザは輸送手段を探し当てることでき、且つ所望の目的地へ輸送される。
【背景技術】
【０００２】
エレベータを運転する方法は欧州特許第１２８２５７８号明細書から知られており、ここでエレベータのユーザは、マン／マシンインターフェイスによって移動要求をエレベータへ伝え、次に同エレベータが所望の行程を実行する。この目的のため、エレベータのための制御装置としてユーザの通信装置が提供される。制御装置にはエレベータを制御するため必要なプログラムとデータとが提供され、且つ制御装置はエレベータを制御するため一時的に使用される。制御装置には、特定の期間にわたりエレベータ制御を可能にする機能が提供される。
【０００３】
ただしこの種のエレベータシステムには、エレベータが停止するときにユーザが所望の目的地階に到着したか否かを、あるいは行程が継続されなければならないのか否かを確認するため、行程の概ね全期間にわたりエレベータケージ内の表示装置を監視しなければならないという不利点がある。
【特許文献１】欧州特許第１２８２５７８号明細書
【発明の開示】
【発明が解決しようとする課題】
【０００４】
本発明の目的は、ユーザが、特に表示装置の監視を強いらることなく、自身の移動目的地に達したことを確実に認識するように、ユーザを輸送する方法を開発することにある。
【課題を解決するための手段】
【０００５】
本発明によると、この目的の達成のため、制御装置、第１の通信装置、そしてユーザによって携行される可搬式の第２の通信装置が提供される、輸送手段により、特にエレベータによりユーザを輸送する方法の場合に、同方法が請求項１に従い以下のステップ、すなわち、
ａ）第２の通信装置により制御装置に目的地コールを入れることと、
ｂ）目的地コールに応じる少なくとも一つの輸送手段を制御装置によって決定することと、
ｃ）第２の通信装置によりユーザに輸送手段を報知することと、
ｄ）制御装置によって目的地信号を生成すること、そして目的地信号を第１の通信装置へ伝達することと、
ｅ）輸送手段によって目的地コールに一致する目的地へユーザを輸送することと、
ｆ）第１の通信装置から第２の通信装置へ目的地信号を送信することと、
ｇ）第２の通信装置によってユーザに目的地信号を報知すること、
を含むと規定される。
【０００６】
本発明による方法は、目的地信号を知らせる働きをし、且つユーザによって携行され、且つ第１の通信装置および／または制御装置と相互に通信する可搬式の通信装置によって、輸送手段の構造とは無関係に、ユーザが自身の目的地に到達したこと、または間もなく目的地に到達することをユーザに報知するとの認識に基づいている。換言すると、可搬式の通信装置は可搬式の目的地信号伝送器として働く。データ交換にはＢｌｕｅｔｏｏｔｈまたはＺｉｇｂｅｅ規格を有利に使用できる。
【０００７】
本発明による方法は、第２の通信装置による目的地コールの入力のため、目的地コール端末にてＮＦＣ規格が使用される場合に特に有利と判明する。第２の通信装置の通信パラメータは目的地コールと併せて目的地コール端末へ転送され、その後の第１の通信装置と第２の通信装置との間の通信接続確立のため、目的地コール端末によって制御装置へ引き渡される。この方法のおかげで、第１の通信装置と第２の通信装置との組み合わせは、ユーザが気づくほどの時間的遅延をともなうことなく、そしてユーザが引き受けなければならない第２の通信装置の操作をともなうことなく成立する。
【０００８】
本発明による方法は、目的地表示装置を見る可能性に限りがあるため、あるいは特に視力ハンディキャップの場合に限られた視覚能力の結果として、この表示装置の助けにより報知されるデータを視覚的に認識することがユーザにとって可能でない場合に、特に有利と判明する。
【０００９】
制御装置と連絡し、且つ好ましくは輸送手段のところに、または輸送手段の領域内に配置される第１の通信装置と、ユーザによって携行される第２の通信装置とのデータ交換によって、目的地信号を報知することのほかに、さらなるデータ、例えば輸送手段の瞬時位置、中間停止地点、そして輸送手段の任意の扉の開閉動作等を伝えることもまた可能である。これはユーザにとって簡素な操作を可能にする。目的地信号の報知は、好ましくは可搬式通信装置による振動アラームによって行い、ただし視覚的に、または聴覚的に行うこともできる。
【００１０】
本発明による方法の有利な展開は請求項２から１６にかけて記載されている。
【００１１】
本方法の有利な展開においては、輸送手段の決定に先駆けてユーザのアクセス権限がチェックされ、アクセス権限のチェックに成功する場合に限り輸送手段が決定されると規定する。この措置により、アクセス権限を持つユーザだけが輸送手段の近所への移動に関する、例えば建物内での案内に関するデータを得ることが保証される。
【００１２】
もしもアクセスコード、特に閉ざされた部屋への立ち入りのためのアクセスコードが、ユーザに輸送手段を報知するときに、および／またはユーザを輸送するときに、および／または目的地信号を送信するときに伝達されるなら、さらに有利である。このようにして追加のセキュリティ措置が提供される。よって例えば、建物立ち入りのための一般的アクセス許可の場合に、適切に生成されたアクセスコードによって、建物内の特定領域のための特定部分アクセス権限をユーザに付与することが可能である。
【００１３】
目的地コールの提出より前にアクセスコードがあらかじめファイルされた、可搬式通信装置の所持者にあたるユーザに対し立ち入りを許可するため、第２の通信装置は第１の通信装置へアクセスコードを伝達できる。
【００１４】
特に複数の輸送手段を備える複雑な輸送システムの場合に、例えば数台のエレベータを備える複合建物の場合に、もしもユーザに輸送手段を報知するとともに、ユーザを輸送手段まで案内するためのデータが第２の通信装置へ送信されるなら、有利であることがわかっている。よって、場合によりユーザにとって見知らぬ環境において、ユーザによって携行される第２の通信装置の助けにより、ユーザが制御装置によって決定される輸送手段までの道のりを見い出すことを保証できる。第２の通信装置によるデータの報知は好ましくは、または第２の通信装置による表示装置または音声出力によって行われる。
【００１５】
本発明による方法の一展開においては、ユーザの輸送中に、または遅くとも輸送手段のさらなる移動より前に、目的地信号がステップｅ）で送信される、および／またはステップｇ）で報知されると提案する。よって、制御装置による目的地コールの受信とユーザによる輸送手段への進入との間の期間は、制御装置による、または制御装置に接続された中央コンピュータ装置によるある種のデータの決定の目的に、そして第１の通信装置を介した第２の通信装置に対する通信に、または第２の通信装置に対する直接的いずれかの通信に、役立てることができる。
【００１６】
もしも第１の通信装置から第２の通信装置にかけての目的地信号の送信に際し、ユーザ案内のための、特に建物内での案内のためのデータが第２の通信装置へ伝達されるなら、さらに有利である。よって例えば、ユーザが輸送手段を用いた行程中に自身の移動目的地を変更したく、移動目的地の変更を第２の通信装置により制御装置に報知する場合には、対応するデータ適応を、例えば新しいアクセスコードを、またはユーザ案内のための適応済みデータを伝達できる。
【００１７】
方法の好ましい展開によると、制御装置によって数台の輸送手段が決定され、ユーザは決定された輸送手段の内一つを第２の通信装置により選択し、選択された輸送手段へユーザを案内するためのデータがその後第２の通信装置へ伝達されると規定する。このユーザの個別ニーズへの適応は、例えば制御装置が勧める輸送手段ではなく、別の輸送手段を使用することをユーザが望む場合に有利である。
【００１８】
方法の好ましい展開によると、ユーザの待ち時間中に、割り当てられたまたは選択された輸送手段が、例えば壊れているまたは著しく遅れているが故に、もはや好ましい選択でない場合には、制御装置が再び最適な輸送手段を決定し、変更された割り当てと変更された輸送手段へユーザを案内するためのデータとを、第２の通信装置へ伝達すると規定する。
【００１９】
ユーザの目的地に到達したこと、まはこれに間もなく到達することをユーザに適切に通知するため、目的地信号の報知は、第２の通信装置の視覚的、音響的、または振動する信号装置によって行われる。
【００２０】
好ましくは第２の通信装置として携帯電話が使用される。よって、ユーザが自身の携帯電話だけでなく、さらなる可搬式通信装置を携行する負担を回避することが可能となる。輸送手段は好ましくは少なくとも一つのエレベータケージを備えるエレベータであって、ここでエレベータケージには第１の通信装置が設けられる。
【００２１】
方法の有利な展開において、目的地信号は、短距離無線接続によって第１の通信装置から第２の通信装置へ送信される。この目的のため、第１の通信装置は輸送手段の領域内に有利に設けられ、すなわち例えば輸送手段のところに、または輸送手段の中に配置され、さらにこれが好ましくはＢｌｕｅｔｏｏｔｈ規格を使用しながら第２の通信装置とデータを交換できるよう装備される。
【００２２】
近接場の範囲は好ましくは約１０メートルに満たない。これは、データ交換のために提供される装置が約１０メートル未満の間隔をおいて位置するときに限り、可搬式の通信装置と第１の通信装置または第２の通信装置との間に連絡が成立することを意味する。この接続において、特にデータ伝送のための伝送規格としてＢｌｕｅｔｏｏｔｈ規格をかかる距離内で利用できることは、特に有利と規定されている。
【００２３】
本発明の有利な展開において、第１および／または第２の通信装置が短距離無線システムを有さない場合には、第１の通信装置と第２の通信装置との間のデータ交換のための無線接続のための通信規格として、地域移動無線事業者から提供されるサービスが使用される。この目的のため、第１の通信装置は制御装置の領域内に有利に設けられ、すなわち例えばエレベータエンジン室内に配置され、さらにこれが好ましくはＣＳＤまたはＧＰＲＳ規格を使用しながら第２の通信装置とデータを交換できるよう装備される。
【００２４】
図面を参照しながら下記にて本発明をさらに説明する。
【発明を実施するための最良の形態】
【００２５】
図１は、数台のエレベータ２０を含むエレベータ設備を備える建物１０を概略的に示すものであって、これらのエレベータ２０の各々は、輸送手段としての垂直に移動可能なエレベータケージ３０と、制御装置４０とを備える。エレベータ２０によるユーザの輸送を可能にするため、輸送システムは加えて、データ送受のために装備され且つエレベータケージ３０のところに配置される第１の通信装置５０を備える。さらに、階１１、１２、１３、および１４の各々におけるエレベータ装置２０の領域には、データ回線を介して制御装置４０にそれぞれ接続される、目的地コール端末７０、８０、９０、および１００が設けられる。
【００２６】
このシステムに基づき、エレベータ２０によるユーザ輸送方法を下記にて説明する。可搬式の第２の通信装置を携帯電話６０の形で携行するユーザは、第１の階１１（地上階）にて建物１０に入った後、エレベータ２０へ接近する。ユーザが端末７０の近くに位置すると、すなわち約１０メートル未満の間隔をおいて位置すると直ちに、携帯電話６０は端末７０によって送信された連絡信号を自動的に受信し、端末７０との、そしてまたデータ回線または無線システムを介して端末７０に接続された制御装置４０との連絡を受け付ける。ユーザは連絡が受け付けられた後に、携帯電話６０によって目的地コールを制御装置４０に入れる。目的地コールは、ユーザが輸送を望む所望の目的階の指令を、目的地として含む。この目的地コールの送達は自動的に行われ、ただし携帯電話６０の手動の、または音声制御の操作によって行うこともできる。制御装置４０は送達された目的地コールに基づき、この場合はエレベータケージ３０を、目的地コールに応じる相応しい輸送手段として決定する。この決定の結果は、すなわちエレベータケージ３０の決定は、携帯電話６０へ報知される。この目的のためユーザは、例えば決定したエレベータケージ３０の番号を含む短いメッセージを得る。さらにユーザは、現在位置から正しいエレベータ扉までの道のりを見い出すための追加情報を得る。
【００２７】
制御装置４０はさらに、第１の通信装置５０へ伝達される目的地信号を生成する目的を果たす。エレベータケージ３０の中にユーザが入った後、ユーザは所望の目的地の方向に、すなわち特定の階に向けて輸送される。エレベータケージ３０が所望の階に到達し停止すると直ちにエレベータケージの扉が開く。第１の通信装置５０は扉が開く少し前に携帯電話６０へ目的地信号を送信し、これを受けて携帯電話６０の振動アラームおよび／または呼び出し音アラームが作動する。このアラームの結果としてユーザは所望の階に達していることを認識し、ユーザは降りる準備をするか、または直ちに降りなければならない。第１の通信装置５０から携帯電話６０への目的地信号の伝達は、Ｂｌｕｅｔｏｏｔｈ規格を使用する無線接続によって行う。
【００２８】
第１の通信装置５０は目的地信号に加えて、制御装置４０によって生成されたアクセスコードを携帯電話６０へ伝達する。このアクセスコードは、扉１５によって閉ざされた部屋にユーザが立ち入ることを可能にする。扉１５は電子ドアロックと送／受信装置１６とを有する。
【００２９】
ユーザは、エレベータケージ３０を離れた後に閉ざされた部屋の方向に進む。ユーザが扉１５から約２メートル以下の間隔をおいて位置すると直ちに、携帯電話６０は、送／受信装置１６によって送信された連絡信号を受信する。携帯電話６０は、送／受信装置１６との連絡を果たした後に、送／受信装置１６へ自動的にアクセスコードを送信する。受信されたアクセスコードは送／受信装置１６によって、制御装置４０の中にファイルされた、または送／受信装置１６の中に直にファイルされた、本来のアクセスコードに比較される。二つのアクセスコードが一致する場合にはドアロックの解除が行われ、これにより部屋への立ち入りが可能となる。
【００３０】
前述の方法は特に、ユーザが、携帯電話６０を携行するだけで、エレベータケージの位置や移動を追うことを強いられずに、所望の目的地に到達する際に、または目的地に到達する少し前に、自身の目的地に今到着したこと、あるいは間もなく到達することを、携帯電話によって通知される、という事実によって特徴づけられる。
【図面の簡単な説明】
【００３１】
【図１】数台のエレベータ２０を含むエレベータ設備を備える建物１０を概略的に示す図である。
【符号の説明】
【００３２】
１０  建物
１１、１２、１３、１４  階
１５  扉
１６  送／受信装置
２０  エレベータ
３０  エレベータケージ
４０  制御装置
５０  第１の通信装置
６０  第２の通信装置、携帯電話
７０、８０、９０、１００  目的地コール端末
【図１】
2007031153.tif 000003
【外国語明細書】
2007031153.tif 000004
2007031153.tif 000005
2007031153.tif 000006
2007031153.tif 000007
2007031153.tif 000008
2007031153.tif 000009
2007031153.tif 000010
2007031153.tif 000011
2007031153.tif 000012
2007031153.tif 000013
2007031153.tif 000014
2007031153.tif 000015
2007031153.tif 000016